(57)【特許請求の範囲】
【請求項１】
可逆回転型のモータと、このモータに連結されたドラムと、このドラムに巻き付けられて被昇降機器を吊持するワイヤロープと、このワイヤロープのねじれ等の振れおよび過負荷の双方を検知する単一の検知レバーと、この検知レバーの各動作に応答するスイッチと、前記ワイヤロープの端末が貫通する貫通孔を形成し天井に固定された取付台と、前記ワイヤロープの過負荷時に前記ワイヤロープを滑ることができる程度に前記ワイヤロープの取付台貫通側に固着されて前記取付台に抜止め係止する常用スリーブと、前記取付台の前記常用スリーブと反対側の前記ワイヤロープに固着された検知スリーブとを備え、
前記検知レバーは、水平方向および垂直方向の揺動が可能に中間部が支持されて先端部に前記ワイヤロープの前記検知スリーブの下側で貫通する挿通孔を有し、
前記スイッチは、前記検知レバーの後端側に配置されて前記検知レバーの水平揺動を検知するねじれ等振れ検知スイッチと垂直揺動を検知する過負荷検知スイッチからなる昇降装置。
【発明の詳細な説明】
【０００１】
【発明の属する技術分野】
この発明は、照明器具等の被昇降機器を昇降する昇降装置に関するものである。
【０００２】
【従来の技術】
従来例を図７から図１１に示す。すなわち、これはワイヤロープ１００により被昇降機器１０１を昇降する昇降装置であり、１０２は天井部に取付られる固定部である。ワイヤロープ１００は固定部１０２のモータ（図示せず）に連動連結されたドラム１０３より巻き出され、滑車１０４、１０５を介して被昇降機器１０１の滑車１０６、１０７に巻き掛けられ、端末１０８を固定部１０２に固定している。したがって、ドラム１０３を巻き戻し回転させると被昇降機器１０１が下降し、一方巻き取り回転させると被昇降機器１０１が上昇する。
【０００３】
また図９に示すように、ワイヤロープ１００の端末は固定部１０２の本体にスラストベアリング１０９および取付台１１８を介して支持され、またねじれ等振れ検知金具１１０および過負荷検知金具１１９を貫通して、被昇降機器１０１の滑車１０７、１０６を通り、ドラム１０３へ巻き取られるようにしている。
図８に示すようにワイヤロープ１００が同図（ａ）から（ｂ）のようにねじれたり、同図（ａ）または（ｂ）から（ｃ）のように揺れたりした際にそれと同期してねじれ等振れ検知金具１１０が図１０に示すように前後および左右に往復動作し、ねじれ等振れ検知金具１１０でねじれ等振れ検知用マイクロスイッチ１１２を作動し、モータの上昇動作を電気的に停止させる。
【０００４】
また過負荷検知機構については、図１１に示すようにワイヤロープ１００の端末に安全スリーブ１１３がかしめ付けられ、その下段に安全スリーブ１１３のかしめ力より小さいかしめ力でかしめられた常用スリーブ１１４が設けられ、常用スリーブ１１４が取付台１１８に係止することにより、ワイヤロープ１００の端末を固定部１０２に固定しており、常用スリーブ１１４のスラストベアリング１０９の下側に検知スリーブ１１５をかしめ付けている。あらかじめ設定された安全スリーブ１１３と常用スリーブ１１４のかしめ力の間の力に相当する過負荷がワイヤロープ１００に加えられると、常用スリーブ１１４がすべってワイヤロープ１００が下方へ移動するため、図１１に示すように検知スリーブ１１５が下降して過負荷検知金具１１９を押し、これにより検知動作金具１１６を作動して過負荷検知用マイクロスイッチ１１７を検知動作させ、モータの上昇動作を電気的に停止させ、過負荷による動作が不能となるようにしている。
【０００５】
このように、ワイヤロープ１００のねじれ等の振れや過負荷に対して、モータを停止することにより装置の安全性を保つことができる。
【０００６】
【発明が解決しようとする課題】
しかし、この従来例は、ワイヤロープ３のねじれ等の振れおよび過負荷の各検知動作を伝達する金具類として、ねじれ等振れ検知金具１１０および過負荷検知金具１１９が必要となり、そのため部品構成が複雑で、かつ形状においても部品配置スペースをかなり要する構成となっている。
【０００７】
したがって、この発明の目的は、検知の安全性を低下することなく、構造を簡素化し、部品を削減でき、コンパクト化を達成できる昇降装置を提供することである。
【０００８】
【課題を解決するための手段】
請求項１記載の昇降装置は、可逆回転型のモータと、このモータに連結されたドラムと、このドラムに巻き付けられて被昇降機器を吊持するワイヤロープと、このワイヤロープのねじれ等の振れおよび過負荷の双方を検知する単一の検知レバーと、この検知レバーの各動作に応答するスイッチと、前記ワイヤロープの端末が貫通する貫通孔を形成し天井に固定された取付台と、前記ワイヤロープの過負荷時に前記ワイヤロープを滑ることができる程度に前記ワイヤロープの取付台貫通側に固着されて前記取付台に抜止め係止する常用スリーブと、前記取付台の前記常用スリーブと反対側の前記ワイヤロープに固着された検知スリーブとを備え、
前記検知レバーは、水平方向および垂直方向の揺動が可能に中間部が支持されて先端部に前記ワイヤロープの前記検知スリーブの下側で貫通する挿通孔を有し、
前記スイッチは、前記検知レバーの後端側に配置されて前記検知レバーの水平揺動を検知するねじれ等振れ検知スイッチと垂直揺動を検知する過負荷検知スイッチからなるものである。
【０００９】
請求項１記載の昇降装置によれば、従来例ではねじれ等の振れ検知具と過負荷検知具を１つの昇降装置内においてそれぞれ独立させた構成としていたのに対して、ねじれ等の振れの検知と過負荷検知とを１つの検知具で兼用させて構成したため、構造の簡素化、部品の削減、コンパクト化を検知の安全性を低下させることなく行なえる。
【００１２】
【発明の実施の形態】
この発明の一実施の形態を図１から図６により説明する。すなわち、この昇降装置は、可逆回転型のモータ１と、ドラム２と、ワイヤロープ３と、検知レバー４と、スイッチ５とを有する。
モータ１およびモータ１に連結されたドラム２は、図７と同様に固定部６に設けられて天井に固定されている。
【００１３】
ワイヤロープ３は、ドラム２に巻き付けられて被昇降機器７を吊持する。実施の形態の被昇降機器７は例えば照明器具であり、一対の滑車８、９を設けている。ワイヤロープ３の巻き出し端部が固定部６に固定され、被昇降機器７の滑車８、９に巻き掛けられ、さらに固定部６に設けた滑車１０、１１に巻き掛けられてドラム２に巻き取られている。ワイヤロープ３の巻き出し端部の固定は、図２に示すようにワイヤロープ３の端末が貫通する貫通孔１２を形成し天井の固定部６に固定された取付台１３と、ワイヤロープ３の過負荷時にワイヤロープ３を滑ることができる程度にワイヤロープ３の取付台貫通側に固着たとえばかしめ付けられて取付台１３に抜止め係止する常用スリーブ１４とで構成され、取付台１３の常用スリーブ１４と反対側のワイヤロープ３に固着例えばかしめ付けられた検知スリーブ１５とを有する。実施の形態ではワイヤロープ３の常用スリーブ１４の上段に常用スリーブ１４の保持力より大きな保持力をもつ安全スリーブ１６をかしめている。取付台１３は固定部６に設けられたスラストベアリング１７に支持され、常用スリーブ１４が取付台１３に係止して、ワイヤロープ３の端部が固定部６に固定されることとなる。
【００１４】
検知レバー４は、ワイヤロープのねじれ等の振れおよび過負荷の双方を検知する単一のレバーである。この検知レバー４は、水平方向および垂直方向の揺動が可能に中間部が支持されて先端部にワイヤロープ３の検知スリーブ４の下側で貫通する挿通孔１８を有している。実施の形態では、検知レバー４を金具により形成し、固定部６に形成したスリット１９に通されるとともに固定部６のボス２０に載置されて支持され、挿通孔１８と反対側の端部は図２および図３のように、後述のねじれ等振れ検知スイッチ２１のヒンジローラレバー２１ａのローラ部２３を動作できるようにＲ状の凹曲部２４をもつ形状にしている。検知レバー４は、上述の２点のみで支持されで横方向および縦方向は検知レバー４の幅および厚みより大きいスリット１９の幅および高さの余裕の分だけ動作がフリーであり、ワイヤロープ３がねじれ等のときには図４のようにスリット１９を支点にして検知レバー４を揺動させるように動作する。また垂直方向の動作もスリット１９を中心にして図５のように垂直方向に回動することができる。このように、検知レバー４は本来のねじれ等振れの検知レバーと過負荷検知レバーの両方の機能をもたせるように構成している。
【００１５】
スイッチ５は、この検知レバー４の各動作に応答する。このスイッチ５は検知レバー４の後端側に配置されて検知レバー４の水平揺動を検知するねじれ等振れ検知スイッチ２１と垂直揺動を検知する過負荷検知スイッチ２０からなる。いずれも例えばマイクロスイッチを用い、固定部６に取付け固定されている。
ねじれ等振れ検知スイッチ２１は前述のようにマイクロスイッチのヒンジローラレバー２１ａを有し、その先端にローラ部２３を有するもので、図４に示すように検知レバー４によりねじれ等振れ検知スイッチ２１のローラ部２３を動作させ、ねじれ等振れ検知スイッチ２１をオンオフしてモータ２の回転を止める。そして回路的には、ねじれ等振れ検知スイッチ２１の接点は自己保持せずに、ワイヤロープ３のねじれ等の振れが収まりねじれ等振れ検知スイッチ２１のローラ部２３が元の位置に戻る（押しボタンが元に戻る）と、モータ２の回転を始めるような構成にして、被昇降機器７が固定部６に安全に嵌合することができるねじれ等振れ検知機構を構成している。
【００１６】
またワイヤロープ３に自身の破断荷重と安全スリーブ１６の保持力よりも小さいが、常用スリーブ１４の保持力よりも大きな過負荷の荷重が印加された際には、図５に示すようにワイヤロープ３の端末が下がることによって常用スリーブ１４が安全スリーブ１６の位置まですべり、検知スリーブ１５がねじれ等振れ検知レバー４を押し下げるため、検知レバー４はスリット１９の端部を支点として反対方向の端部が押し上げられる。したがって、図５および図６の（ａ）から（ｂ）に示すように検知レバー４の常用スリーブ１４と反対方向に位置する過負荷検知用マイクロスイッチ２０のレバー２０ａを押し上げ、その接点がねじれ等振れ検知と同様に、モータ２の上昇回路に組み込まれるため、モータ２の上昇側の回転を止め、昇降装置の設計荷重に対し過負荷が印加されたことを昇降装置の機能不良（上昇不能）として知らせ、落下の危険性等の不安全モードを早く使用者に伝える機構となっている。
【００１７】
この昇降装置の動作について説明する。図１の状態でモータ２が回転すると、それに伴いドラム１が回転しワイヤロープ３が巻取りまたは繰り出される。これにより被昇降機器７が上昇または下降する。被昇降機器７を吊り下げるワイヤロープ３が図８に示すようにねじれまたは振れると、それに伴い検知レバー４がスリット１９を支点にして水平回動し、検知レバー４の端部が凹曲部２４を形成しておりローラ部２３がその凹曲部２４内に位置するので、いずれの方向の揺動に対しても検知スイッチ２１のレバー２１ａを押してスイッチ動作し、モータ１を停止する。またワイヤロープ３に過負荷が加わると常用スリーブ１４がすべってワイヤロープ３の端末が下降し安全スリーブ１６が常用スリーブ１４に当接して停止する。このとき、図５に示すように検知スリーブ１５で検知レバー４を押圧し検知レバー４がスリット１９を支点にして垂直方向に回動する。これにより図６に示すように検知レバー４の後端部で検知スイッチ２０のレバー２０ａを押圧しスイッチ動作してモータ２を停止する。
【００１８】
この実施の形態によれば、従来例ではねじれ等の振れ検知具と過負荷検知具を１つの昇降装置内においてそれぞれ独立させた構成としていたのに対して、ねじれ等の振れの検知と過負荷検知とを１つの検知レバー４で兼用させて構成としたため、構造の簡素化、部品の削減、コンパクト化を検知の安全性を低下させることなく行なえる。
【００１９】
なお、この実施の形態の昇降装置は、検知レバー４の水平および垂直方向の揺動に個別に応動するように複数のマイクロスイッチを設けたが、単一のマイクロスイッチで水平および垂直方向の揺動に応動できるようにねじれ等振れ検知スイッチと過負荷検知スイッチとを兼用してもよい。またマイクロスイッチはヒンジローラ型に限らない。
【００２０】
【発明の効果】
請求項１記載の昇降装置によれば、従来例ではねじれ等の振れ検知具と過負荷検知具を１つの昇降装置内においてそれぞれ独立させた構成としていたのに対して、ねじれ等の振れの検知と過負荷検知とを１つの検知レバーで兼用させて構成したため、構造の簡素化、部品の削減、コンパクト化を検知の安全性を低下させることなく行なえる。
【図面の簡単な説明】
【図１】この発明の一実施の形態の概略図である。
【図２】その要部詳細断面図である。
【図３】検知レバーの平面図である。
【図４】検知レバーのねじれ等振れの検知動作状態の平面図である。
【図５】検知レバーの過負荷検知動作状態の断面図である。
【図６】検知レバーの過負荷検知動作状態の端面図である。
【図７】従来例の概略図である。
【図８】ワイヤロープのねじれ等の振れ動作状態の説明図である。
【図９】その要部詳細断面図である。
【図１０】振れ検知レバーのねじれ等振れの検知動作状態の平面図である。
【図１１】過負荷検知レバーの過負荷検知動作状態の断面図である。
【符号の説明】
１    モータ
２    ドラム
３    ワイヤロープ
４    検知レバー
５    スイッチ
７    被昇降機器
１２    貫通孔
１３    取付台
１４    常用スリーブ
１５    検知スリーブ
１８    挿通孔
２０    過負荷検知スイッチ
２１    ねじれ等振れ検知スイッチ
【図１】
0003775036.tif 000002
【図２】
0003775036.tif 000003
【図３】
0003775036.tif 000004
【図４】
0003775036.tif 000005
【図５】
0003775036.tif 000006
【図６】
0003775036.tif 000007
【図７】
0003775036.tif 000008
【図８】
0003775036.tif 000009
【図９】
0003775036.tif 000010
【図１０】
0003775036.tif 000011
【図１１】
0003775036.tif 000012